(57)【要約】【課題】蛍光着色部分を含む原稿に対して、一般原稿用とは別の輝度と色度の簡易な一次元補正を行うことにより、蛍光着色部分の色再現を適したものとすることを目的とする。【解決手段】密着光学系（ＣＩＳ）方式で読み込まれた画像データを入力する画像入力部と、制御部とを有する画像処理装置において、制御部（１０）は、画像データに対して、通常の画像処理を行う第１のモードと、蛍光着色部分の色又は濃度の再現に適した画像処理を行う第２のモードとを備え、第２のモードが設定されている場合には、前記画像データに対して、低彩度の画像データの彩度を高くする補正を行う、ことを特徴とする。【選択図】図１
2020191576.tif 000002
【特許請求の範囲】
【請求項１】
密着光学系（ＣＩＳ）方式で読み込まれた画像データを入力する画像入力部と、制御部とを有する画像処理装置において、
前記制御部は、
前記画像データに対して、通常の画像処理を行う第１のモードと、蛍光着色部分の色又は濃度の再現に適した画像処理を行う第２のモードとを備え、
前記第２のモードが設定されている場合には、前記画像データに対して、低彩度の画像データの彩度を高くする補正を行う、
ことを特徴とする画像処理装置。
【請求項２】
前記制御部は、
前記第２のモードが選択された場合に、前記画像データに対して、低彩度の画像データの彩度を高くする補正を行うことを特徴とする請求項１に記載の画像処理装置。
【請求項３】
前記制御部は、
露光を高く設定されることにより、低彩度の画像データの彩度を高くする補正を行うことを特徴とする請求項１又は２に記載の画像処理装置。
【請求項４】
前記制御部は、
低彩度の画像データの彩度を高くする補正は、ＹＣｂＣｒ画像データのＣｂ成分、Ｃｒ成分で行うことを特徴とする請求項１から３の何れか一項に記載の画像処理装置。
【請求項５】
密着光学系（ＣＩＳ）方式で読み込まれた第１の画像データを入力する画像入力部と、前記第１の画像データに対して画像処理を実行し、第２の画像データを出力する処理部と、前記第２の画像データに基づいて画像を形成する画像形成部とを有する画像形成装置において、
前記処理部は、
前記第１の画像データに対して、通常の画像処理を行う第１のモードと、蛍光着色部分の色又は濃度の再現に適した画像処理を行う第２のモードとを備え、
前記第２のモードが設定されている場合には、前記第１の画像データに対して、低彩度の画像データの彩度を高くする補正を行う、
ことを特徴とする画像形成装置。
【請求項６】
密着光学系（ＣＩＳ）方式で読み込まれた画像データを入力する画像入力部と、制御部とを有する装置における画像処理方法であって、
前記画像データに対して、通常の画像処理を行う第１のモードと、蛍光着色部分の色又は濃度の再現に適した画像処理を行う第２のモードとを備え、
前記第２のモードが設定されている場合には、前記画像データに対して、低彩度の画像データの彩度を高くする補正を行う、
ことを特徴とする画像処理方法。
【請求項７】
密着光学系（ＣＩＳ）方式で読み込まれた画像データを入力する画像入力部と、制御部とを有するコンピュータにおいて、
前記画像データに対して、通常の画像処理を行う第１のモードと、蛍光着色部分の色又は濃度の再現に適した画像処理を行う第２のモードを実行し、
前記第２のモードが設定されている場合には、前記画像データに対して、低彩度の画像データの彩度を高くする補正を行う機能を実行することを特徴とするプログラム。
【発明の詳細な説明】
【技術分野】
【０００１】
本開示は、画像処理装置等に関する。
【背景技術】
【０００２】
電子複写機などの画像形成装置は、従来のアナログ式のほかにデジタル式のものが普及しており、またデジタル画像処理技術の進展によって、カラー画像を高画質に再現するフルカラーのデジタル複写機が製品化されている。
【０００３】
様々な原稿の一つとして、蛍光色を含む原稿が有る。蛍光ペンなどで紙に色が塗られているものであり、蛍光ペンは、有機蛍光体が広く用いられている。
【０００４】
デジタル複写機に用いられているカラースキャナが縮小光学系であるＣＣＤ（Charge Coupled Device）方式の場合、白色ＬＥＤ（light emitting diode）を照射し、反射したＲＧＢの光をＲＧＢそれぞれのセンサーで受け取る。蛍光ペン着色部分に白色ＬＥＤを照射すると、通常の反射光に加え蛍光（励起光）が発生し、Ｇ及びＲ成分の反射光が増える。すなわち、励起光をＲセンサーやＧセンサーで読み取る。そのため、赤や黄色の蛍光着色部分を読み取ると、ＲやＧ成分の値が非常に大きな値となり、一般の印刷物を読み取った場合には現れないような色成分の画素データが得られる。
【０００５】
例えば、特許文献１では、入力原稿が蛍光色を含む原稿であるか否かを判定し、判定結果に応じて予め設定された色処理パラメータを切り換えて色変換している。また、原稿読み取りデータに基づいて局所的に蛍光色か否かを判定し、判定結果に応じて予め設定された色処理パラメータを切り換えて色変換している。
【先行技術文献】
【特許文献】
【０００６】
【特許文献１】特開平７−１７７３６８号公報
【発明の概要】
【発明が解決しようとする課題】
【０００７】
しかし、カラースキャナにはＣＣＤ方式以外に密着光学系であるＣＩＳ（Contact Image Sensor）順次点灯方式のものが有る。ＣＩＳ順次点灯方式では、ＣＣＤ方式とは、ＲＧＢ各色成分の検出感度が異なる。まずブルーのＬＥＤを照射して反射した光をセンサーでＢ成分の信号として読み取り、次にグリーンのＬＥＤを照射して反射した光をセンサーでＧ成分の信号として読み取り、さらにレッドのＬＥＤを照射して反射した光をセンサーでＲ成分の信号として読み取る。なお、ブルーのＬＥＤを照射して反射した光はグリーンやレッド領域の励起光も含んで読み取るため、Ｂ成分が増幅される。結果、蛍光着色部分の色は、輝度が高くなり彩度が低くなる。
【０００８】
そのため、蛍光着色部分の色は、一般の印刷物を読み取った場合に現れないような色成分の画素データにはならず、蛍光着色部分か否かを判定することもできなかった。
【０００９】
また、色変換を行う色処理パラメータは、一般原稿用とは別に蛍光着色原稿用を予め設定しておき、ユーザからの指示条件（例えば、蛍光ペンモード、手動露光設定）に応じて切り替えることは可能だが、メモリを多く必要とする。
【００１０】
本開示の目的の１つは、蛍光着色部分を含む原稿に対して、一般原稿用とは別の輝度と色度の簡易な一次元補正を行うことにより、蛍光着色部分の色再現を適したものとすることを目的とする。
【課題を解決するための手段】
【００１１】
本開示の画像処理装置は、密着光学系（ＣＩＳ）方式で読み込まれた画像データを入力する画像入力部と、制御部とを有する画像処理装置において、前記制御部は、前記画像データに対して、通常の画像処理を行う第１のモードと、蛍光着色部分の色又は濃度の再現に適した画像処理を行う第２のモードとを備え、前記第２のモードが設定されている場合には、前記画像データに対して、低彩度の画像データの彩度を高くする補正を行う、ことを特徴とする。
【００１２】
本開示の画像形成装置は、密着光学系（ＣＩＳ）方式で読み込まれた第１の画像データを入力する画像入力部と、前記第１の画像データに対して画像処理を実行し、第２の画像データを出力する処理部と、前記第２の画像データに基づいて画像を形成する画像形成部とを有する画像形成装置において、前記処理部は、前記第１の画像データに対して、通常の画像処理を行う第１のモードと、蛍光着色部分の色又は濃度の再現に適した画像処理を行う第２のモードとを備え、前記第２のモードが設定されている場合には、前記第１の画像データに対して、低彩度の画像データの彩度を高くする補正を行う、ことを特徴とする。
【００１３】
本開示の画像処理方法は、密着光学系（ＣＩＳ）方式で読み込まれた画像データを入力する画像入力部と、制御部とを有する装置における画像処理方法であって、前記画像データに対して、通常の画像処理を行う第１のモードと、蛍光着色部分の色又は濃度の再現に適した画像処理を行う第２のモードとを備え、前記第２のモードが設定されている場合には、前記画像データに対して、低彩度の画像データの彩度を高くする補正を行う、ことを特徴とする。
【００１４】
本開示のプログラムは、密着光学系（ＣＩＳ）方式で読み込まれた画像データを入力する画像入力部と、制御部とを有するコンピュータにおいて、前記画像データに対して、通常の画像処理を行う第１のモードと、蛍光着色部分の色又は濃度の再現に適した画像処理を行う第２のモードを実行し、前記第２のモードが設定されている場合には、前記画像データに対して、低彩度の画像データの彩度を高くする補正を行う機能を実行することを特徴とする。
【発明の効果】
【００１５】
蛍光着色部分を含む原稿に対して、一般原稿用とは別の輝度と色度の簡易な一次元補正を行うことにより、蛍光着色部分の色再現を適したものとすることができるようになる。
【図面の簡単な説明】
【００１６】
【図１】第１実施形態における構成を説明するための図である。
【図２】第１実施形態における画像の補正について説明するための図である。
【図３】第１実施形態における画像の補正について説明するための図である。
【図４】第２実施形態における構成を説明するための図である。
【図５】第３実施形態における動作を説明するための図である。
【発明を実施するための形態】
【００１７】
以下、図面を参照して本開示の画像形成装置等を実施するための一実施形態について説明する。なお、以下の実施形態は、説明を行うための一例であり、特許請求の範囲に記載の発明の技術的範囲が、以下の記載に限定されるものではない。
【００１８】
［１．第１実施形態］
図１は、本実施形態にかかる画像形成装置１の概略構成を示すブロック図である。なお、本実施形態では、画像形成装置１が電子写真方式のデジタルカラー複写機である場合について説明するが、画像形成装置１の構成はこれに限るものではなく、原稿の画像データに対して画像処理を施す機能を有する装置であればよい。
【００１９】
画像形成装置１は、図１に示すように、制御部１０、カラー画像入力装置２０、カラー画像処理装置３０、カラー画像出力装置４０、操作パネル５０及び記憶部６０を含んで構成されている。
【００２０】
また、カラー画像処理装置は３０、Ａ／Ｄ（アナログ／デジタル）変換部３０２、シェーディング補正部３０４、領域分離処理部３０６、ＲＧＢ ｔｏ ＹＣｂＣｒの色空間の変換を行う第１色空間変換部３０８、ＹＣｂＣｒ補正部３１０、空間フィルタ処理部３１２、ＹＣｂＣｒ ｔｏ ＲＧＢの色空間の変換を行う第２色空間変換部３１４、色補正部３１６、黒生成下色除去部３１８、出力階調補正部３２０、階調再現処理部３２２を備えている。
【００２１】
カラー画像入力装置２０は、原稿を読み取って原稿の画像データを生成し、生成した画像データをカラー画像処理装置に出力する。なお、カラー画像入力装置の構成は、密着光学系方式であるＣＩＳ（Contact Image Sensor）を備えたスキャナ部（図示せず）を有し、原稿からの反射光像をＣＩＳで読み取ってＲＧＢ（Ｒ：赤、Ｇ：緑、Ｂ：青）のアナログ信号から成る画像データを生成する構成のものを用いる。
【００２２】
カラー画像処理装置３０は、カラー画像入力装置２０から入力される画像データを、Ａ／Ｄ変換部３０２、シェーディング補正部３０４、領域分離処理部３０６、第１色空間変換部３０８、ＹＣｂＣｒ補正部３１０、空間フィルタ処理部３１２、第２色空間変換部３１４、色補正部３１６、黒生成下色除去部３１８、出力階調補正部３２０、及び階調再現処理部３２２の順に送り、最終的にＣＭＹＫ（Ｃ：シアン、Ｍ：マゼンタ、Ｙ：イエロー、Ｋ：ブラック）のそれぞれに対応するデジタルカラー信号で表される画像データをカラー画像出力装置４０へ出力する。
【００２３】
Ａ／Ｄ変換部３０２は、ＲＧＢのそれぞれに対応するアナログ信号の画像データをデジタル信号の画像データに変換する。
【００２４】
シェーディング補正部３０４は、Ａ／Ｄ変換部３０２から送られてきたＲＧＢに対応するデジタル信号の画像データに対して、カラー画像入力装置２０の照明系、結像系、撮像系で生じる各種の歪みを取り除く処理を施す。また、シェーディング補正部３０４は、カラーバランスの調整を行う。
【００２５】
さらに、シェーディング補正部３０４は、ＲＧＢの濃度信号（以下、特に断らない限り、ＲＧＢ信号は濃度信号（画素値を表す信号）を表すものとする。）から成る画像データを領域分離処理部３０６に出力する。
【００２６】
領域分離処理部３０６は、入力画像データにおける各画素を、ＲＧＢ濃度信号に基づいて、下地領域、写真領域（連続階調領域）、文字領域、及び網点領域のいずれに属するのか判定する領域分離処理を行う。また、領域分離処理部３０６は、領域分離処理の結果に基づいて、各画素がどの領域に属しているかを示す領域識別信号を生成し、空間フィルタ処理部３１２、色補正部３１６、黒生成下色除去部３１８、及び階調再現処理部３２２へと出力するとともに、シェーディング補正部３０４から入力されたＲＧＢ信号をそのまま後段の第１色空間変換部３０８に出力する。
【００２７】
第１色空間変換部３０８（色空間変換(ＲＧＢ ｔｏ ＹＣｂＣｒ)部）は、ＲＧＢ画像データをＹＣｂＣｒ画像データへ変換する。
【００２８】
ＹＣｂＣｒ補正部３１０は、ＹＣｂＣｒ画像データに対して下地濃度の除去、及びコントラストなどの画質調整処理を行う。
【００２９】
すなわち、原稿の下地（文字などが印刷された用紙）の色はさまざまであり、下地の色によっては白地部分（下地部分）を白（あるいは無色）として扱わないと、記録材（トナーあるいはインク）が余分に使用されてしまう場合がある。例えば、わら半紙のように黄色っぽいものや、下地に色がついている原稿をモノクロモードで画像形成する場合、下地の色を白として扱わないと、画像出力時に白地部分（下地部分）にも記録材が使われてしまう。このため、余分な記録材が使用されることを抑制するために、ＹＣｂＣｒ補正部３１０は、下地濃度の除去処理（すなわち下地の濃度を白色の濃度にする処理）を行うとともに、コントラストの調整処理を行う。
【００３０】
ここで、ユーザが操作パネル５０から特に指示されない初期状態の通常の画像処理を行う第１のモードの場合、下地濃度の除去処理を行う。また、蛍光着色部分の色または濃度の再現に適した画像処理を行う第２のモードをユーザが操作パネル５０から指示した場合には、第１のモードとは別の補正を行う。詳細は後述する。
【００３１】
空間フィルタ処理部３１２は、ＹＣｂＣｒ補正部３１０から入力されるＹＣｂＣｒ信号の画像データに対して、空間周波数特性を補正することにより、出力画像のぼやけ、及び粒状性劣化を防ぐために、領域分離処理部３０６から入力される領域識別信号に応じて、領域の種別毎に予め設定されるデジタルフィルタによる空間フィルタ処理を行う。なお、空間フィルタ処理部３１２の詳細については後述する。
【００３２】
第２色空間変換部３１４（色空間変換(ＹＣｂＣｒ  ｔｏ  ＲＧＢ)部）は、空間フィルタ処理部３１２から入力されるＹＣｂＣｒ画像データをＲＧＢ画像データへ変換する。
【００３３】
色補正部３１６は、第２色空間変換部３１４から入力されるＲＧＢ信号を、領域分離処理部３０６から入力される領域識別信号に応じて、ＣＭＹ信号に変換する。また、色補正部３１６では、色再現の忠実化実現のために、不要吸収成分を含むＣＭＹ色材の分光特性に基づいた色濁りを取り除く処理を行う。
【００３４】
黒生成下色除去部３１８は、色補正部３１６による色補正後のＣＭＹ信号から黒（Ｋ）信号を生成する黒生成処理と、元のＣＭＹ信号から黒生成処理で得たＫ信号を差し引いて新たなＣＭＹ信号を生成する下色除去処理とを行う。これによって、ＣＭＹ信号はＣＭＹＫの４色の信号（以下、ＣＭＹＫ信号という）に変換される。
【００３５】
例えば、黒生成下色除去部３１８では、黒生成処理として、スケルトンブラックによる黒生成を行う。このスケルトンブラックによる黒生成処理では、スケルトンカーブの入出力特性をｙ＝ｆ（ｘ）、入力されるＣ，Ｍ，Ｙのそれぞれに対応する濃度をそれぞれＣ，Ｍ，Ｙとし、出力されるＣ，Ｍ，Ｙ，Ｋのそれぞれに対応する濃度をそれぞれＣ'，Ｍ'，Ｙ'，Ｋ'とし、ＵＣＲ（Under Color Removal）率をα（０＜α＜１）とすると、
Ｋ’＝ｆ｛ｍｉｎ（Ｃ，Ｍ，Ｙ）｝
Ｃ’＝Ｃ−αＫ’
Ｍ’＝Ｍ−αＫ’
Ｙ’＝Ｙ−αＹ’
によってＣＭＹの３色の濃度信号をＣＭＹＫの４色の濃度信号に変換する。
【００３６】
出力階調補正部３２０は、黒生成下色除去部３１８から入力されるＣＭＹＫ信号の画像データに対して、カラー画像出力装置４０の出力特性に基づく出力階調補正処理を行う。
【００３７】
階調再現処理部３２２は、出力階調補正部３２０から入力されるＣＭＹＫ信号の画像データに対して、領域分離処理部３０６から入力される領域識別信号に応じて、領域の種別毎に予め定められた処理を施す。
【００３８】
例えば、領域分離処理部３０６によって文字領域に分離された領域に関しては、特に黒文字あるいは色文字の再現性を高めるために、空間フィルタ処理部３１２は鮮鋭強調処理により高周波数の強調量を大きくし、階調再現処理部３２２は高域周波数の再現に適した高解像度のスクリーンでの二値化又は多値化処理を行う。
【００３９】
また、領域分離処理部３０６によって網点領域に分離された領域に関しては、空間フィルタ処理部３１２は入力網点成分を除去するためのローパス・フィルタ処理を施し、階調再現処理部３２２はそれぞれの画素の階調を再現できるように処理する階調再現処理（中間調生成）を施す。
【００４０】
また、領域分離処理部３０６によって写真領域（連続階調領域）に分離された領域に関しては、階調再現処理部３２２は階調再現性を重視したスクリーンでの二値化又は多値化処理を行う。
【００４１】
階調再現処理部３２２から出力される画像データ、すなわち前述した各処理が施された画像データは、記憶部６０に一旦記憶され、所定のタイミングで読み出されてカラー画像出力装置４０に出力される。
【００４２】
カラー画像出力装置４０は、画像データに応じた画像を記録媒体（例えば紙などのシート体）に出力する。いわゆる、カラー画像出力装置４０は、画像形成部として機能する。カラー画像出力装置４０は、２色以上（本実施形態ではＣ，Ｍ，Ｙ，Ｋの４色）の記録材を用いて記録媒体に画像を形成する。なお、本実施形態では、カラー画像出力装置４０として、電子写真方式のプリンタ装置を用いている。ただし、カラー画像出力装置４０の構成はこれに限るものではなく、例えばインクジェット方式などの他の方式のプリンタ装置を用いてもよい。
【００４３】
操作パネル５０は、ユーザからの指示入力を受け付けて制御部１０に伝達する。操作パネル５０は、例えば、液晶ディスプレイなどの表示部とユーザの操作入力を受け付ける操作キーとを含んで構成される。あるいは、操作パネルはタッチパネルであってもよい。
【００４４】
制御部１０は、画像形成装置１の全体を制御する。制御部１０は、記憶部６０に記憶されている各種プログラムを読み出して実行することにより各種機能を実現しており、例えば演算装置であるＣＰＵ（Central Processing Unit）により構成される。
【００４５】
制御部１０は、記憶部６０に記憶されている各種情報及び各種制御を実施するためのプログラム、操作パネル５０を介して入力されるユーザからの指示入力、及び画像形成装置１に備えられる各種センサの検知結果などに応じて、カラー画像入力装置２０、カラー画像処理装置３０、カラー画像出力装置４０、及び操作パネル５０の動作を制御する。
【００４６】
記憶部６０は、画像形成装置１の動作に必要な各種プログラムや、各種データが記憶されている機能部である。記憶部６０は、例えば、半導体メモリや、ＨＤＤ（Hard Disk Drive）等により構成されている。また、適宜画像データが記憶されてもよい。
【００４７】
（ＹＣｂＣｒ補正部３１０の詳細）
ここで、ＹＣｂＣｒ補正部３１０の詳細について説明する。蛍光着色原稿に対して適した色再現したいモードや機能設定（例えば、蛍光ペンモード、手動露光設定：高、など）が選択された場合には、ＹＣｂＣｒの各成分について、図２及び図３のような補正を行う。
【００４８】
図２は、Ｙ成分補正について示したグラフである。横軸は入力値のＹ（輝度）成分を示しており、縦軸は出力値のＹ（輝度）成分を示している。また、点線は通常原稿用の補正用データ、破線は蛍光ペンモード用の補正用データ、実線は手動露光高用の補正用データである。
【００４９】
図２から明らかなように、蛍光着色原稿に対しては、蛍光ペンモードが選択されると、ＹＣｂＣｒのＹ（輝度）成分に対しては、通常原稿向けよりも濃く（暗く）なる方への補正を行う。具体的には、蛍光ペンの色の種類によって程度は異なるが、通常原稿用の補正で処理して出力すると、蛍光ペンで着色された部分は原稿より淡くなってしまう。そのため、蛍光ペンモードが選択されたときは、一般的な普通紙の紙白部分に蛍光ペンで着色された部分のＹＣｂＣｒのＹ（輝度）成分のほぼ最小値（例えば１９２）以上、かつ、ほぼ最大値（例えば２４１）未満の入力値を通常原稿用の補正値よりも小さい値に補正する。
【００５０】
図３は、ＣｂＣｒの各成分に対する補正用データの一例である。図３から明らかなように、ＹＣｂＣｒの色度成分のＣｂ成分及びＣｒ成分に対しては、蛍光着色部分を読み取った時に低下した彩度を、原稿の見た目に近づけるように、低彩度のデータに対して彩度が上がる補正を行う。また、高彩度のデータに対しては特に補正をしない。具体的には、図３に示すように、蛍光ペンの色の種類によって程度は異なるが、通常原稿用のようにＹＣｂＣｒの色度成分のＣｂ成分及びＣｒ成分に対して補正をしないで出力すると、蛍光ペンで着色された部分は原稿より彩度が低くなってしまう。イエローのような非常に明るい蛍光ペンの場合は、彩度が低くなるだけでなく消えかかってしまう。そのため、蛍光ペンモードが選択されたときは、普通紙の紙白部分に蛍光ペンで着色された部分のＹＣｂＣｒの色度成分のＣｂ成分及びＣｒ成分のほぼ最小値以上、かつ、ほぼ最大値以下の入力値を彩度が高くなるように補正する。
【００５１】
第１色空間変換部３０８(ＲＧＢ  ｔｏ  ＹＣｂＣｒ)により、無彩色をＣｂ＝０、Ｃｒ＝０にされているとすれば、図３のような補正を行う。Ｃｂ及びＣｒ成分共に図３のような補正を行う。具体的には、図３においては、好ましくは−４８及び４８を変曲点（０−２５５のデータの場合は、８０、１７６）としている。なお、この補正は１次元のルックアップテーブルで行う。
【００５２】
これにより、スキャンした時点で低く読み取られていた蛍光着色部分の彩度を適したものとすることができ、かつ、スキャンした時点で彩度が低くなっていない部分は彩度を維持することができる。蛍光着色部分以外の低彩度な部分は彩度が上がってはしまうが、全体の品位をあまり損なわない画像を出力することができる。
【００５３】
［２．第２実施形態］
第２実施形態は、スキャナ機能を有するスキャナ装置について適用した場合について説明する。
【００５４】
図４は、スキャナ装置３の構成を説明するブロック図である。図１の画像形成装置１がスキャン出力機能を有する場合のスキャン出力機能を有する場合であってもよい。なお、第１実施形態と共通の構成については、同一の符号を付して説明を省略する。
【００５５】
図４に示すように、カラー画像入力装置２０、カラー画像処理装置３０、操作パネル５０、制御部１０及び記憶部６０を備えている。
【００５６】
また、カラー画像処理装置３０は、Ａ／Ｄ（アナログ／デジタル）変換部３０２、シェーディング補正部３０４、領域分離処理部３０６、第１色空間変換(ＲＧＢ ｔｏ ＹＣｂＣｒ)部３０８、ＹＣｂＣｒ補正部３１０、空間フィルタ処理部３１２、第２色空間変換(ＹＣｂＣｒ ｔｏ ＲＧＢ)部３１４、色補正部３３０、出力階調補正部３３２を備えている。
【００５７】
色補正部３３０は、図１の画像形成装置におけるカラー画像処理装置の色補正部３１６と異なり、領域分離処理部３０６から入力されるＲＧＢ信号を、領域分離処理部３０６から入力される領域識別信号に応じて、ＲＧＢ信号に変換する。
【００５８】
出力階調補正部３３２は、図１の画像形成装置におけるカラー画像処理装置の出力階調補正部３２０と異なり、色補正部３３０から入力されるＲＧＢ信号の画像データに対して出力階調補正処理を行う。
【００５９】
このように、上述した実施形態によれば、画像入力手段により原稿を走査して読み込まれた入力画像データに対して、低彩度の画像データの彩度を高くする補正を行うことを特徴とする画像処理装置を提供することができる。
【００６０】
例えば、イエローやオレンジの蛍光ペンで着色した部分は、通常のコピー／スキャン処理をすると、非常に薄くなり、蛍光ペンの色の種類の区別もわかりにくくなる。この処理を行うことにより、あまり薄くならずに蛍光ペンの色の種類の区別もわかるようになる。
【００６１】
また、上述した実施形態によれば、蛍光着色部分の色や濃度の再現に適していることを示すモードを備え、そのモードを選択されてコピーあるいはスキャンの指示がされた場合に、低彩度の画像データの彩度を高くする補正を行うことを特徴とする画像処理装置を提供することができる。
【００６２】
これにより、蛍光ペンなどで着色した原稿をコピー／スキャンするときに、使用者がわかりやすく蛍光着色部分を適した色や濃度で出力することができる。
【００６３】
上述した実施形態によれば、露光設定を備え、その露光を高く設定されてコピーあるいはスキャンの指示がされた場合に、低彩度の画像データの彩度を高くする補正を行うことを特徴とする画像処理装置を提供することができる。
【００６４】
これにより、露光を高くして原稿をコピー／スキャンした時に、蛍光ペンなどで着色した部分が適した色や濃度で出力されないことを防ぐことができる。
【００６５】
上述した実施形態によれば、低彩度の画像データの彩度を高くする補正は、ＹＣｂＣｒ画像データのＣｂ成分、Ｃｒ成分で行うことを特徴とする画像処理装置を提供することができる。
【００６６】
これにより、低彩度の画像データの彩度を高くする補正は、色補正でも可能であるが、通常原稿とは別の三次元のルックアップテーブルが必要になり、テーブルの設計も複雑で、かつ、大量のメモリを必要とする。Ｃｂ成分、Ｃｒ成分の１次元のルックアップテーブルで行うことにより、テーブルの設計も色補正より容易で、かつ、メモリも少なくて済む。
【００６７】
［３．第３実施形態］
第３実施形態は、モードの切替えを手動で行うことができる実施形態である。例えば、第１実施形態の画像形成装置１や第２実施形態のスキャナ装置３において、露光設定や露光モードを、操作パネル５０を利用して設定することができる。
【００６８】
図５は、操作パネル５０においてパラメータを設定することができる表示画面の一例を示した図である。図５（ａ）は、手動露光設定として、「露光低」から「露光高」を段階的に切り替えることができる表示画面の一例である。例えば、操作パネル５において５段階から選択可能で、初期設定は中間の段階とし、「露光低」の方を選択設定すれば、中間の段階の場合より全体的に淡く出力され、「露光高」の方を選択設定すれば全体的に濃く出力される。
【００６９】
また、図５（ｂ）は、露光モード設定を、手動で設定する場合の表示画面の一例である。露光モードには、文字モード、文字/印刷写真モード、印画紙写真モード、などが有る。それらに加えて、蛍光ペンモードが用意され、操作パネル５０において選択可能とする。これにより、例えば、コピーの動作モードを切り替えるだけでなく、図２及び図３で示した補正用データを切り替えることが可能となる。
【００７０】
［４．第４実施形態］
第４実施形態は、上述した画像処理装置を、コンピュータによって実現する場合の実施形態である。
【００７１】
図１及び図４のカラー画像処理装置３０の制御ブロックは、集積回路（ＩＣチップ）等に形成された論理回路（ハードウェア）によって実現してもよいし、ＣＰＵ（Central Processing Unit）を用いてソフトウェアによって実現してもよい。
【００７２】
後者の場合、カラー画像処理装置３０は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７３】
これにより、ＹＣｂＣｒ補正部３１０の処理を実行するプログラムコード（実行形式プログラム、中間コードプログラム、ソースプログラム）を記録した記録媒体を持ち運び自在に提供することができる。また、記録媒体に記録させたプログラムを画像形成装置、画像読取装置、あるいはコンピュータシステムに備えられるプログラム読取装置に読み取られせることにより、上記の原稿特徴判別処理を実行させることができる。
【００７４】
コンピュータシステムは、フラットベッドスキャナ、フィルムスキャナ、デジタルカメラなどの画像入力装置、所定のプログラムコードがロードされることにより上記画像処理方法など様々な処理が行われるコンピュータ、コンピュータの処理結果を表示するＣＲＴディスプレイ、液晶ディスプレイなどの画像表示装置及びコンピュータの処理結果を紙などに出力するプリンタにより構成されていてもよい。また、ネットワークを介してサーバーなどに接続するための通信手段としてのネットワークカードやモデムなどを備えていてもよい。
【００７５】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【００７６】
１  画像形成装置
３  スキャナ装置
１０  制御部
２０  カラー画像入力装置
３０  カラー画像処理装置
３０２  Ａ／Ｄ（アナログ／デジタル）変換部
３０４  シェーディング補正部
３０６  領域分離処理部
３０８  第１色空間変換部
３１０  ＹＣｂＣｒ補正部
３１２  空間フィルタ処理部
３１４  第２色空間変換部
３１６  色補正部
３１８  黒生成下色除去部
３２０  出力階調補正部
３２２  階調再現処理部
３３０  色補正部
３３２  出力階調補正部
４０  カラー画像出力装置
５０  操作パネル
６０  記憶部
【図１】
2020191576.tif 000003
【図２】
2020191576.tif 000004
【図３】
2020191576.tif 000005
【図４】
2020191576.tif 000006
【図５】
2020191576.tif 000007